(57)【特許請求の範囲】
【請求項１】
楽器本体の音孔を開閉制御する木管楽器用タンポ機構において、
タンポ皿内に全方向に傾動自在に収納配置された台座と、この台座にねじ止め固定されたタンポとを備え、
前記台座は、前記タンポを固定するための止めねじが螺合する雌ねじが形成されるとともに前記タンポ皿と接触する側が球面凸状に形成され、前記タンポ皿の内側と略点接触することを特徴とする木管楽器用タンポ機構。
【請求項２】
請求項１記載の木管楽器用タンポ機構において、
前記タンポを楽器本体の外周に形成した音孔の開口端面に押し付けた状態で前記台座を前記タンポ皿に接着剤によって固定したことを特徴とする木管楽器用タンポ機構。
【発明の詳細な説明】
【０００１】
【発明の属する技術分野】
本発明は、木管楽器用タンポ機構に関し、特にタンポ皿が音孔に対して傾いていても音孔を高い気密性をもって閉塞することができ、息漏れを防止し得るようにした木管楽器用タンポ機構に関する。
【０００２】
【従来の技術】
図４および図５に示すように、一般的にオーボエ、クラリネット、サクソフォン等の木管楽器は、管本体１と、この管本体１の外周に設けた鍵機構３によって作動されることにより音孔２を開閉制御するタンポ機構４を備えている。
【０００３】
前記管本体１は外周に突設した分岐管５を備え、その開口部が前記音孔２を形成している。鍵機構３は、管本体１の外周に立設した支柱６によって軸支され図示しない鍵により回動される連管７と、この連管７にアーム８を介して取付けられた前記タンポ機構４と、前記連管７を介してタンポ機構４に閉方向の回動習性を付与する図示しないばね等で構成されている。
【０００４】
前記タンポ機構４は、音孔２を開閉するタンポ１０と、このタンポ１０を収納するタンポ皿１１と、前記タンポ１０を押圧する押圧板１２と、この押圧板１２を前記タンポ皿１１内に設けた雌ねじ１３に固定する止めねじ１４等で構成されている。
【０００５】
前記タンポ１０は、音孔２を確実に閉塞しないと息漏れにより音高、音量、音色等が変化して安定した演奏音が得られなくなることから、高い気密性と耐久性が要求され、また、分岐管５によく馴染み軽快なタッチ感が得られるものであることが要求される。このため、通常通気性を有する心材１０ａを気密性を有する被覆材１０ｂで覆ったものをタンポ１０として用いている。心材１０ａとしては、一般に圧縮成形されたフェルト板と台紙を重ね合わせたものが用いられ、被覆材１０ｂとしては、通常スキン（羊や小牛などの皮革）、ブラダー（羊や山羊などの内蔵表皮）等が用いられる。なお、１５はタンポ１０の裏面に接着された台紙である。
【０００６】
前記タンポ皿１１は、通常金属板を絞り加工によって塑性変形させることにより浅底のカップ状に形成され、内部中央に前記雌ねじ１３がロー付け、半田付け等によって固定されている。
【０００７】
このようなタンポ機構４において、アーム８に対するタンポ皿１１の取付け角度が不適切で、タンポ皿１１が音孔２に対して傾いているとタンポ１０も傾くため、キー操作したときタンポ１０が分岐管５の開口端面５ａの全周にわたって密着せず傾き側とは反対側において隙間ができ、この隙間から息が漏れて所定の音高の音を発音させることができなくなる。
【０００８】
そこで、従来はこのような問題を解決するために、図６に示すようにタンポ皿１１の内部で息漏れが生じる側に調整用台紙１８を組込んでタンポ１０を嵩上げすることで、タンポ１０を開口端面５ａと平行になるように調整している。なお、θはタンポ皿１１の傾き角度である。
【０００９】
【発明が解決しようとする課題】
上記したように従来は調整用台紙１８によってタンポ１０を開口端面５ａと平行になるように調整していた。しかしながら、押圧板１２は止めねじ１４の頭部下面（平坦面）によって押圧されるため、タンポ皿１１に対して平行で角度調整されずタンポ１０に対して傾むくため、止めねじ１４を締付けていくと、図６に示すようにタンポ皿１１の傾き側とは反対側外周縁部がタンポ１０に対して片当たりする。このため、タンポ１０の押圧板１２が片当たりしている部分１６が凹んで分岐管５の開口端面５ａとの間に隙間１７が生じる。そこで、従来は、タンポ皿１１のアーム８に対する取付角度を粗調整した後、調整用台紙１８の厚さや枚数を変えたり位置を調整するなど試行錯誤を繰り返す微調整により、タンポ１０が分岐管５の開口端面５ａに対して片当たりしないようにしている。しかしながら、このような粗調整および微調整は面倒で熟練を要する割には、音孔２からの息漏れを完全には防止することができないという問題があった。
また、タンポ１０の押圧板１２が片当たりする部分１６に応力が集中するため、被覆材１０ｂが破断したりしてタンポ１０の耐久性を低下させる。
【００１０】
本発明は上記した従来の問題を解決するためになされたもので、その目的とするところは、タンポ皿がアームに対して傾いて取付けられていても、タンポ皿自体の取付角度は変更することなく、タンポを分岐管の開口端面と平行になるようにタンポ皿に対して傾けることができ、また押圧板がタンポに対して片当たりすることがなく、音孔を確実に閉塞し得るようにした木管楽器用タンポ機構を提供することにある。
【００１１】
【課題を解決するための手段】
上記目的を達成するために第１の発明は、楽器本体の音孔を開閉制御する木管楽器用タンポ機構において、タンポ皿内に全方向に傾動自在に収納配置された台座と、この台座にねじ止め固定されたタンポとを備え、前記台座は、前記タンポを固定するための止めねじが螺合する雌ねじが形成されるとともに前記タンポ皿と接触する側が球面凸状に形成され、前記タンポ皿の内側と略点接触するものである。
【００１２】
第１の発明においては、タンポ皿が音孔の開口端面に対して傾いている場合、タンポを開口端面に押し付けると、台座がタンポ皿に対して傾動して開口端面と平行になる。したがって、タンポは開口端面に対する片当たりすることがない。
【００１４】
また、第１の発明においては、台座がタンポ皿の内側面と略点接触しているため、台座の全方向への円滑な傾動を可能にし、タンポを開口端面の全周にわたって確実に密着させる。
【００１５】
第２の発明は上記第１の発明において、前記タンポを楽器本体の外周に形成した音孔の開口端面に押し付けた状態で前記台座を前記タンポ皿に接着剤によって固定したものである。
【００１６】
第２の発明においては、タンポを音孔の開口端面に押し付け、この状態で台座をタンポ皿に接着剤で固定しているため、タンポ皿が音孔に対して傾いていても何ら問題ない。
【００１７】
【発明の実施の形態】
以下、本発明を図面に示す実施の形態に基づいて詳細に説明する。
図１は本発明に係る木管楽器用タンポ機構の断面図である。なお、従来技術の欄で示した構成部材等と同一のものについては同一の符号をもって示し、その説明を適宜省略する。タンポ機構２０は、音孔２を閉塞するタンポ１０、タンポ１０を収納するタンポ皿１１、タンポ１０を押圧する押圧板１２、押圧板１２とともにタンポ１０を挟持する台座２１および前記押圧板１２を前記台座２１に固定する止めねじ１４を備え、前記台座２１をタンポ皿１１内に傾動自在に収納し、台座２１の傾動によってタンポ１０の音孔２に対する傾きを補正し、前記台座２１を接着剤２２によってタンポ皿１１に固定するようにしている。
【００１８】
前記タンポ皿１１は、金属板の絞り加工によって浅底のカップ状に形成されることにより、円板部１１Ａと、この円板部１１Ａの外周に一体に突設された円筒部１１Ｂとで構成されている。円板部１１Ａは、中央に形成された内側に凸となる球状凸部２３と、この球状凸部２３の外周に全周にわたって形成された内側に凸となる環状凸部２４と、この環状凸部２４と前記円筒部１１Ｂを接続する外周に向かってなだらかに傾斜する環状傾斜部２５とで構成されている。球状凸部２３の頂部Ｐ1 は、環状凸部２４の頂部Ｐ2 、および環状傾斜部２５と円筒部１１Ｂとの接続部よりもタンポ皿１１の内部側に位置している。
【００１９】
前記台座２１は、合成樹脂または金属によって形成することにより、タンポ１０より若干外径が小さい円板部２１Ａと、この円板部２１Ａの表面、すなわちタンポ１０が密着する面２６の中央に一体に突設された円筒部２１Ｂとで構成されている。円板部２１Ａの裏面、すなわちタンポ１０とは反対側の面２７は、緩やかに湾曲した球面に形成され、頂部付近が前記球状凸部２３に略点接触状態で接触している。ただし、裏面２７は平面であってもよい。
【００２０】
前記円筒部２１Ｂは、タンポ１０の中央に形成した貫通孔２８に嵌合しており、内周面には前記止めねじ１４が螺合する雌ねじ２９が形成されている。円筒部２１Ｂの高さは、タンポ１０の厚さより若干低い。
【００２１】
前記タンポ１０は、前記タンポ皿１１の円筒部１１Ｂの内径と略等しい外径のリング状に形成され、前記円筒部２１Ｂと貫通孔２８との嵌合によって台座２１の円板部２１Ａ上に装着された後、押圧板１２を介して止めねじ１４を雌ねじ２９にねじ込むことにより、前記円板部２１Ａと押圧板１２とによって挟持されている。
【００２２】
このようなタンポ１０は、接着剤２２をタンポ皿１１に充填した後、前記押圧板１２、止めねじ１４および台座２１とともにタンポ皿１１に収納され、接着剤２２によって台座２１がタンポ皿１１に固定されることで、タンポ皿１１に取付けられる。この場合、タンポ１０を分岐管５の開口端面５ａに接触させ、さらに図４に示した連管７を介してタンポ機構４に閉方向の回動習性を付与するばねの力で押し付けた状態で、前記台座２１をタンポ皿１１の内部に接着剤２２で固定し、接着剤２２が完全に固化するまでこの状態を保持し、固化するとタンポ１０の取付けを完了する。
【００２３】
このように、タンポ１０を音孔２を形成する分岐管５の開口端面５ｅに押し付けた状態で台座２１をタンポ皿１１に固定すると、アーム８（図４参照）に対するタンポ皿１１の取付け角度が不適切で、タンポ皿１１が音孔２に対して角度θだけ傾いている場合であっても、タンポ１０を開口端面５ａに片当たりすることなく全周にわたって接触させることができる。すなわち、タンポ皿１１は予めアーム８にロー付けされているため、分岐管５に対して角度調整することはできないが、タンポ１０を開口端面５ａに押し付けた状態においては、未だ接着剤２２が固化していないので、台座２１が開口端面５ａと平行になるように図３に示すようにタンポ皿１１の傾き方向とは反対方向（矢印Ａ方向）に傾動してタンポ１０を開口端面５ａの全周にわたって密着させる。このときの台座２１の傾動は、タンポ皿１１の球状凸部２３と台座２１の裏面２７とが略点接触状態で接触していることから円滑に行われる。また、タンポ１０の高さが大きく変化するようなことがなく、さらには、タンポ１０の外径をタンポ皿１１の内径と略等しく設定しているため、台座２１がタンポ皿１１に対して傾動してもタンポ１０の外周と円筒部１１Ｂとの間に隙間が殆ど生じることがなく、接着剤２２のタンポ皿１１からの漏洩を防止することができる。
【００２４】
そして、この状態で接着剤２２が固化するまで待ち、固化するとタンポ１０のタンポ皿１１への取付けおよび音孔２への合わせ作業が同時に完了する。
【００２５】
このように本発明に係るタンポ機構２０は、台座２１をタンポ皿１１内に傾動自在に収納した状態でタンポ１０を分岐管５の開口端面５ａに押し付け、この状態で台座２１をタンポ皿１１に接着剤２２によって固定するようにしているので、タンポ皿１１が分岐管５の開口端面５ａ対して傾いている場合であっても、台座２１の傾動によってタンポ１０を開口端面５ａに全周にわたって密着させることができる。したがって、タンポ１０によって音孔２を高い気密性をもって確実に閉塞することができ、息漏れが発生せず安定した演奏音が得られる。
【００２６】
また、押圧板１２と台座２１はタンポ１０を挟持した状態で一体に傾動するため、押圧板１２がタンポ１０に対して傾いて片当たりすることがなく、タンポ１０の表面を覆っている被覆材１０ｂの破断を防止することができる。したがって、タンポ１０の耐久性が向上し、楽器の性能を長期にわたって安定に維持することができる。
【００２７】
さらに、タンポ皿１１自体の音孔２に対する傾きを粗調整したり、調整用台紙を用いてタンポ１０を微調整したりする必要がないので、タンポ機構２０の取付け、音孔２への合わせ作業が著しく簡単かつ容易で熟練を必要としない。
【００２８】
【発明の効果】
以上説明したように本発明に係る木管楽器用タンポ機構は、タンポと台座をタンポ皿に傾動自在に収納したので、タンポ皿が音孔に対して傾いている場合、台座がタンポ皿に対して傾動してタンポの開口端面に対する傾きを補正することができる。
また、タンポを音孔の開口端面に押し付け、この状態で台座を接着剤によってタンポ皿に固定するように構成したので、タンポ皿が音孔の開口端面に対して傾いていてもタンポによって音孔を高い気密性をもって確実に閉塞することができ、息漏れが発生せず安定した演奏音が得られ、楽器の性能を向上させることができる。
【図面の簡単な説明】
【図１】  本発明に係る木管楽器用タンポ皿の一実施の形態を示す断面図である。
【図２】  タンポ皿が音孔に対して傾いている状態を示す図である。
【図３】  台座の傾動によりタンポが開口端面に密着した状態を示す図である。
【図４】  木管楽器の鍵機構を示す斜視図である。
【図５】  木管楽器用タンポ皿の従来例を示す断面図である。
【図６】  タンポがタンポ皿に対して傾いている他の従来例を示す断面図である。
【符号の説明】
１…楽器本体、２…音孔、３…鍵機構、４…タンポ機構、５…分岐管、５ａ…開口端面、１０…タンポ、１１…タンポ皿、１２…押圧板、１３…雌ねじ、１４…止めねじ、１８…調整用台紙、２０…タンポ機構、２１…台座、２２…接着剤、２３…球状凸部。
【図１】
0003716821.tif 000002
【図２】
0003716821.tif 000003
【図３】
0003716821.tif 000004
【図４】
0003716821.tif 000005
【図５】
0003716821.tif 000006
【図６】
0003716821.tif 000007